(57)【特許請求の範囲】
【請求項１】
通信エリアが分割された複数のセクタ毎に割り当てられ、割り当てられたセクタにて移動局との間におけるデータの送受信を行うための複数の無線信号送受信手段と、該複数の無線信号送受信手段を介して送受信されるデータをベースバンド処理する複数のベースバンド信号処理手段と、前記複数の無線信号送受信手段及び前記複数のベースバンド信号処理手段の監視及び制御を行う基地局監視・制御手段とを少なくとも有し、前記無線信号送受信手段が、前記セクタ毎に決められた運用情報を用いて前記データの送受信を行う無線基地局装置において、
前記複数の無線信号送受信手段どうしを前記基地局監視・制御手段を介さずに互いに接続する接続手段を有し、
前記複数の無線信号送受信手段はそれぞれ、前記複数のセクタ毎に決められた運用情報を全て管理しておき、前記接続手段を介して他の無線信号送受信手段における動作状態を認識し、障害が発生した無線信号送受信手段が前記データの送受信を行っているセクタに対応する運用情報を使用して該セクタにて前記データの送受信を行うことを特徴とする無線基地局装置。
【請求項２】
請求項１に記載の無線基地局装置において、
前記複数の無線信号送受信手段はそれぞれ、
前記複数のセクタ毎に決められた運用情報を全て管理するセクタ管理部と、
他の無線信号送受信手段の動作状態を示す状態情報を前記接続手段を介して取得することにより他の無線信号送受信手段の動作状態を判定するとともに、当該無線信号送受信手段の動作状態を示す状態情報を他の無線信号送受信手段に対して前記接続手段を介して送信する状態情報判定回路と、
前記状態情報判定回路における判定結果に基づいて、前記セクタ管理部にて管理されている運用情報の中から障害が発生した無線信号送受信手段が前記データの送受信を行っているセクタに対応する運用情報を選択する選択部とを有することを特徴とする無線基地局装置。
【請求項３】
請求項１または請求項２に記載の無線基地局装置において、
前記ベースバンド信号処理手段にてベースバンド処理された送信データを前記基地局監視・制御手段における制御によって、前記複数の無線信号送受信手段のうち所定の無線信号送受信手段に送信する負荷分散処理手段を有することを特徴とする無線基地局装置。
【請求項４】
請求項３に記載の無線基地局装置において、
前記負荷分散処理手段は、前記複数の無線信号送受信手段にて受信された受信データを前記複数のベースバンド信号処理手段の全てに送信することを特徴とする無線基地局装置。
【発明の詳細な説明】
【０００１】
【発明の属する技術分野】
本発明は、無線基地局装置に関し、特に、ＣＤＭＡ（Ｃｏｄｅ  Ｄｉｖｉｓｉｏｎ  ＭｕｌｔｉｐｌｅＡｃｃｅｓｓ：符号分割多重アクセス）方式が採用された通信システムに用いられる無線基地局装置に関する。
【０００２】
【従来の技術】
ＣＤＭＡ方式が採用された通信システムにおいては、周波数利用効率の向上やマルチパス環境での影響を軽減するために、無線基地局装置の通信エリアを複数のセクタに分割し、各セクタ毎に周波数の異なる複数のキャリアを用いて移動局と通信を行う方法が用いられている。
【０００３】
図５は、ＣＤＭＡ通信システムに用いられる従来の無線基地局装置の一構成例を示すブロック図である。
【０００４】
本従来例は図５に示すように、各セクタ毎に設けられ、無線信号を送受信するためのアンテナ５１０−１〜５１０−ｎと、各セクタ毎に設けられ、アンテナ５１０−１〜５１０−ｎを介して移動局（不図示）との間にてデータの送受信を行う無線信号送受信部５２０−１〜５２０−ｎと、それぞれが無線信号送受信部５２０−１〜５２０−ｎの全てと接続され、無線信号送受信部５２０−１〜５２０−ｎにて送受信されるデータをベースバンド処理するベースバンド信号処理部５３０−１〜５３０−Ｎと、無線信号送受信部５２０−１〜５２０−ｎ及びベースバンド信号処理部５３０−１〜５３０−Ｎの監視及び制御を行うとともに、送受信されるデータの上位局（不図示）との間におけるやりとりを行う基地局監視・制御部５４０とから構成されている。なお、アンテナ５１０−１〜５１０−ｎ及び無線信号送受信部５２０−１〜５２０−ｎにおいては、セクタ１にアンテナ５１０−１及び無線送受信部５２０−１が割り当てられ、セクタ２にアンテナ５１０−２及び無線送受信部５２０−２が割り当てられるというように、セクタ毎にそれぞれ設けられている。
【０００５】
ここで、ベースバンド信号処理部５３０−１〜５３０−Ｎは、全てのセクタに対する多重された受信データが必要であるため、全ての無線信号送受信部５２０−１〜５２０−ｎに接続されている。
【０００６】
また、無線信号送受信部５２０−１〜５２０−ｎはそれぞれ、基地局監視・制御部５４０にて管理されており、各無線信号送受信部５２０−１〜５２０−ｎ個別の運用情報を常に相互交換している。
【０００７】
図６は、図５に示した無線信号送受信部５２０−１の構成を示すブロック図である。
【０００８】
本従来例における無線信号送受信部５２０−１は図６に示すように、アンテナ５１０−１を介して受信された受信データを復調するとともにアンテナ５１０−１を介して移動局に送信する送信データを変調する変復調部５２８と、変復調部５２８にて復調された受信データをデジタルデータに変換するＡ／Ｄ変換部５２７と、Ａ／Ｄ変換部５２７にてデジタルデータに変換された受信データをベースバンド信号処理部５３０−１〜５３０−Ｎに対して出力するための受信データに変換するとともに、ベースバンド信号処理部５３０−１〜５３０−Ｎから出力された送信データを所定の形態の送信データに変換する入出力データ変換部５２５と、入出力データ変換部５２５にて変換された送信データをアナログデータに変換するＤ／Ａ変換部５２６と、現在使用している無線変調用周波数等のセクタ１における運用情報を管理するセクタ管理部５２３と、無線信号送受信部５２０−１の監視制御を行う監視制御部５２４とから構成されている。なお、無線信号送受信部５２０−２〜５２０−ｎの構成においても、セクタ管理部５２３にて管理される運用情報に対応するセクタが異なるのみでその他の構成は図６に示したものと同様である。
【０００９】
以下に、上記のように構成された無線基地局装置の動作について説明する。
【００１０】
まず、データ送信時の動作について説明する。
【００１１】
上位局から送られてきた送信データは、基地局監視・制御部５４０を介してベースバンド信号処理部５３０−１〜５３０−Ｎに与えられ、ベースバンド信号処理部５３０−１〜５３０−Ｎにてベースバンド処理される。
【００１２】
ベースバンド信号処理部５３０−１〜５３０−Ｎにてベースバンド処理された送信データは、無線信号送受信部５２０−１〜５２０−ｎに送られ、無線信号送受信部５２０−１〜５２０−ｎ内のＤ／Ａ変換部５２６にてアナログデータに変換された後、変復調部５２８にて変調されてアンテナ５１０−１〜５１０−ｎを介して送信される。
【００１３】
次に、データ受信時の動作について説明する。
【００１４】
アンテナ５１０−１〜５１０−ｎを介して受信された受信データは、無線信号送受信部５２０−１〜５２０−ｎ内の変復調部５２８にて復調された後、Ａ／Ｄ変換部５２７にてデジタルデータに変換され、入出力データ変換部５２５を介してベースバンド信号処理部５３０−１〜５３０−Ｎに送られる。
【００１５】
ベースバンド信号処理部５３０−１〜５３０−Ｎに送られた受信データは、ベースバンド信号処理部５３０−１〜５３０−Ｎにて逆拡散されてユーザデータが抽出され、基地局監視・制御部５４０を介して上位局に送信される。
【００１６】
ここで、無線信号送受信部５２０−１〜５２０−ｎにて障害が発生した場合は、無線信号送受信部５２０−１〜５２０−ｎにて使用している無線変調用周波数等の運用情報を予備用の無線信号送受信部（不図示）に伝達し、予備用の無線信号送受信部は、伝達された運用情報に基づいて、障害が発生した無線信号送受信部の処理を代行して行うことになる。
【００１７】
【発明が解決しようとする課題】
上述したような従来の無線基地局装置においては、無線信号送受信部にて障害が発生した場合に、該無線信号送受信部にて使用している無線変調用周波数等の運用情報を予備用の無線信号送受信部に伝達しなければならないため、常に処理されているベースバンド信号処理部と基地局監視・制御部間でのユーザ情報交換の他に、障害を補償するための情報交換が発生することとなり、基地局監視・制御部の処理量が急激に増加してしまうという問題点がある。
【００１８】
また、無線基地局装置内の無線信号送受信部以外の部分に障害が生じた場合は、更に基地局監視・制御部の情報処理量が増加することは言うまでもなく、リアルタイムに情報の伝達を行うことが困難になる虞れがあるとともに、ユーザ情報交換の妨げとなり、サービス全体に影響を与えてしまう虞れがある。
【００１９】
本発明は、上述したような従来の技術が有する問題点に鑑みてなされたものであって、無線信号送受信部にて障害が発生した場合に処理量を増加させず、かつ短時間で障害を補償することができる無線基地局装置を提供することを目的とする。
【００２０】
【課題を解決するための手段】
上記目的を達成するために本発明は、
通信エリアが分割された複数のセクタ毎に割り当てられ、割り当てられたセクタにて移動局との間におけるデータの送受信を行うための複数の無線信号送受信手段と、該複数の無線信号送受信手段を介して送受信されるデータをベースバンド処理する複数のベースバンド信号処理手段と、前記複数の無線信号送受信手段及び前記複数のベースバンド信号処理手段の監視及び制御を行う基地局監視・制御手段とを少なくとも有し、前記無線信号送受信手段が、前記セクタ毎に決められた運用情報を用いて前記データの送受信を行う無線基地局装置において、
前記複数の無線信号送受信手段どうしを前記基地局監視・制御手段を介さずに互いに接続する接続手段を有し、
前記複数の無線信号送受信手段はそれぞれ、前記複数のセクタ毎に決められた運用情報を全て管理しておき、前記接続手段を介して他の無線信号送受信手段における動作状態を認識し、障害が発生した無線信号送受信手段が前記データの送受信を行っているセクタに対応する運用情報を使用して該セクタにて前記データの送受信を行うことを特徴とする。
【００２３】
また、前記複数の無線信号送受信手段はそれぞれ、
前記複数のセクタ毎に決められた運用情報を全て管理するセクタ管理部と、
他の無線信号送受信手段の動作状態を示す状態情報を前記接続手段を介して取得することにより他の無線信号送受信手段の動作状態を判定するとともに、当該無線信号送受信手段の動作状態を示す状態情報を他の無線信号送受信手段に対して前記接続手段を介して送信する状態情報判定回路と、
前記状態情報判定回路における判定結果に基づいて、前記セクタ管理部にて管理されている運用情報の中から障害が発生した無線信号送受信手段が前記データの送受信を行っているセクタに対応する運用情報を選択する選択部とを有することを特徴とする。
【００２４】
また、前記ベースバンド信号処理手段にてベースバンド処理された送信データを前記基地局監視・制御手段における制御によって、前記複数の無線信号送受信手段のうち所定の無線信号送受信手段に送信する負荷分散処理手段を有することを特徴とする。
【００２５】
また、前記負荷分散処理手段は、前記複数の無線信号送受信手段にて受信された受信データを前記複数のベースバンド信号処理手段の全てに送信することを特徴とする。
【００２６】
（作用）
上記のように構成された本発明は、通信エリアが複数のセクタに分割され、分割されたセクタ毎に無線変調用周波数等の特定の運用情報を用いて移動局との間にてデータの送受信を行う無線基地局装置において、移動局との間にてデータの送受信を行う複数の無線信号送受信手段のそれぞれにて、複数のセクタにてそれぞれ用いられる運用情報を全て管理しておき、その中から所望の運用情報を選択して該運用情報に対応するセクタにてデータの送受信を行う。この複数の無線信号送受信手段のうち、常用する無線信号送受信手段においては、基地局監視・制御手段によってデータの送受信が行われるセクタが設定され、無線信号送受信手段にて管理されている運用情報のうち、設定されたセクタに対応する運用情報が用いられて移動局との間にてデータの送受信が行われる。また、常用しない予備用の無線信号送受信手段を設けておき、接続手段を介して他の無線信号送受信手段における動作状態を認識した場合、予備用の無線信号送受信手段が、障害が発生した無線信号送受信手段がデータの送受信を行っているセクタに対応する運用情報を使用して該セクタにてデータの送受信を行う。この接続手段は、複数の無線信号送受信手段を基地局監視・制御手段を介さずに互いに接続している。
【００２７】
このように、複数の無線信号送受信手段にて運用情報が共有化されており、かつ、無線信号送受信手段における動作状態が他の無線信号送受信手段にて基地局監視・制御手段を介さずに認識されるので、無線信号送受信手段にて障害が発生した場合に、該障害に対して基地局監視・制御手段による監視・指示及び情報の再送を行うことなく効率的なサービスの供給継続が行われる。
【００２８】
また、無線信号送受信手段の故障・障害等に伴うに無線基地局装置内の基地局監視・制御手段と無線信号送受信手段及びベースバンド信号処理手段間でのデータ伝達トラフィック量の急増防止や、無線信号送受信手段等の無線基地局装置内を監視・管理する基地局監視・制御手段における処理量の低減が図られる。
【００２９】
【発明の実施の形態】
以下に、本発明の実施の形態について図面を参照して説明する。
【００３０】
（第１の実施の形態）
図１は、本発明の無線基地局装置の第１の実施の形態を示すブロック図である。
【００３１】
本形態は図１に示すように、無線基地局装置の通信エリアを分割したセクタの数以上設けられ、無線信号を送受信するためのアンテナ１０−１〜１０−ｎと、アンテナ１０−１〜１０−ｎを介して移動局（不図示）との間にてデータの送受信を行う無線信号送受信部２０−１〜２０−ｎと、それぞれがデータバス線６３を介して無線信号送受信部２０−１〜２０−ｎの全てと接続され、無線信号送受信部２０−１〜２０−ｎにて送受信されるデータをベースバンド処理するベースバンド信号処理部３０−１〜３０−Ｎと、データ伝達線６１ａを介してベースバンド信号処理部３０−１〜３０−Ｎと接続され、また、データ伝達線６１ｂを介して無線信号送受信部２０−１〜２０−ｎと接続され、ベースバンド信号処理部３０−１〜３０−Ｎに対するユーザ情報の供給や上位局（不図示）に対する情報の伝達を行うとともに、ベースバンド信号処理部３０−１〜３０−Ｎ及び無線信号送受信部２０−１〜２０−ｎの監視及び制御を行う基地局監視・制御部４０とから構成されている。なお、無線信号送受信部２０−１〜２０−ｎは、接続手段である状態情報共有線６２を介して互いに接続されており、それにより、全ての無線信号送受信部２０−１〜２０−ｎの動作状態を共有している。
【００３２】
ここで、ベースバンド信号処理部３０−１〜３０−Ｎは、全てのセクタに対する多重された受信データが必要であるため、全ての無線信号送受信部２０−１〜２０−ｎに接続されている。
【００３３】
図２は、図１に示した無線信号送受信部２０−１の構成を示すブロック図である。なお、無線信号送受信部２０−２〜２０−ｎの構成においても、図２に示すものと同様である。
【００３４】
本形態における無線信号送受信部２０−１は図２に示すように、アンテナ１０−１を介して受信された受信データを復調するとともにアンテナ１０−１を介して移動局に送信する送信データを変調する変復調部２８と、変復調部２８にて復調された受信データをデジタルデータに変換するＡ／Ｄ変換部２７と、Ａ／Ｄ変換部２７にてデジタルデータに変換された受信データをベースバンド信号処理部３０−１〜３０−Ｎに対して出力するための受信データに変換するとともに、ベースバンド信号処理部３０−１〜３０−Ｎから出力された送信データを所定の形態の送信データに変換する入出力データ変換部２５と、入出力データ変換部２５にて変換された送信データをアナログデータに変換するＤ／Ａ変換部２６と、無線信号送受信部２０−１〜２０−ｎにて使用している無線変調用周波数等のそれぞれのセクタにおける運用情報を管理するセクタ管理部２３と、他の無線信号送受信部２０−２〜２０−ｎの動作状態を示す状態情報を状態情報共有線６２を介して取得して他の無線信号送受信部２０−２〜２０−ｎの動作状態を判定するとともに、無線信号送受信部２０−１の動作状態を示す状態情報を他の無線信号送受信部２０−２〜２０−ｎに対して状態情報共有線６２を介して送信する状態情報判定回路２１と、状態情報判定回路２１における判定結果に基づいて、セクタ管理部２３にて管理されている運用情報の中から所望のセクタに関する運用情報を選択する選択部２２と、無線信号送受信部２０−１の監視制御を行う監視制御部２４とから構成されている。
【００３５】
以下に、上記のように構成された無線基地局装置の動作について説明する。
【００３６】
まず、初期設定時の動作について説明する。
【００３７】
サービス開始時、基地局監視・制御部４０は、無線信号送受信部２０−１〜２０−ｎにて使用される無線変調用周波数等の運用情報を無線信号送受信部２０−１〜２０−ｎの全てに伝達しておく。
【００３８】
基地局監視・制御部４０から伝達された運用情報は、無線信号送受信部２０−１〜２０−ｎ内のセクタ管理部２３にてセクタ毎に管理される。
【００３９】
ここで、本形態においては、無線基地局装置の通信エリアを３つのセクタ１〜３に分割し、それぞれのセクタ１〜３に無線信号送受信部２０−１〜２０−３を割り当て、さらに、無線信号送受信部２０−４〜２０−ｎを、予備用の無線信号送受信部とする。その場合、無線信号送受信部２０−１〜２０−３においては、セクタ管理部２３にて管理される運用情報のうち、それぞれセクタ１〜３に対応する運用情報を用いてデータの送受信が行われることになる。
【００４０】
次に、データ送信時の動作について説明する。
【００４１】
上位局から送られてきた送信データは、基地局監視・制御部４０を介してベースバンド信号処理部３０−１〜３０−Ｎに与えられ、ベースバンド信号処理部３０−１〜３０−Ｎにてベースバンド処理される。
【００４２】
ベースバンド信号処理部３０−１〜３０−Ｎにてベースバンド処理された送信データは、無線信号送受信部２０−１〜２０−３に送られ、無線信号送受信部２０−１〜２０−３内のＤ／Ａ変換部２６にてアナログデータに変換された後、変復調部２８にて変調されてアンテナ１０−１〜１０−３を介して送信される。
【００４３】
次に、データ受信時の動作について説明する。
【００４４】
アンテナ１０−１〜１０−３を介して受信された受信データは、無線信号送受信部２０−１〜２０−３内の変復調部２８にて復調された後、Ａ／Ｄ変換部２７にてデジタルデータに変換され、入出力データ変換部２５を介してベースバンド信号処理部３０−１〜３０−Ｎに送られる。
【００４５】
ベースバンド信号処理部３０−１〜３０−Ｎに送られた受信データは、ベースバンド信号処理部３０−１〜３０−Ｎにて逆拡散されてユーザデータが抽出され、基地局監視・制御部４０を介して上位局に送信される。
【００４６】
以下に、無線信号送受信部２０−１〜２０−ｎにて障害が発生した場合の処理について、無線信号送受信部２０−１にて障害が発生し、無線信号送受信部２０−１における処理を無線信号送受信部２０−４にて代行して行う場合を例に挙げて説明する。
【００４７】
無線信号送受信部２０−１〜２０−ｎは、状態情報共有線６２を介して互いに接続されており、全ての無線信号送受信部２０−１〜２０−ｎの動作状態を共有している。この動作状態は、無線信号送受信部２０−１〜２０−ｎ間にて常に相互交換されている。また、無線信号送受信部２０−１〜２０−ｎの動作状態は、基地局監視・制御部４０に伝達され、基地局監視・制御部４０においてリソース管理が行われている。
【００４８】
無線信号送受信部２０−１にて障害が発生すると、まず、予備用の無線信号送受信部２０−４内の状態情報判定回路２１において、状態情報共有線６２を介して取得した無線信号送受信部２０−１の動作状態に基づいて無線信号送受信部２０−１に障害が発生したことが認識される。
【００４９】
その後、無線信号送受信部２０−４内のセクタ管理部２３に管理されている運用情報のうち、無線信号送受信部２０−１にて使用されていた無線変調用周波数等のセクタ１における運用情報が選択部２２にて選択され、無線信号送受信部２０−４が、セクタ１における運用情報を用いて無線信号送受信部２０−１における処理を代行して行うことになる。
【００５０】
また、無線信号送受信部２０−４における処理は、基地局監視・制御部４０にデータ伝達線６１ｂを介して報告され、障害に伴う切替動作を終了する。
【００５１】
上述したように本形態においては、複数の無線信号送受信部のそれぞれにおいて各セクタにおける運用情報が共有して管理されており、無線信号送受信部の動作状態が無線信号送受信部間において状態情報共有線を介して授受され、授受された動作状態に基づいて無線信号送受信部にて障害が発生したことが認識された場合に、予備用に設定された無線信号送受信部が、障害が発生した無線信号送受信部にて使用されている運用情報を用いて障害が発生した無線信号送受信部における処理を代行して行うので、無線信号送受信部にて障害が発生した場合の補償がローカルに行われることになり、基地局監視・制御部における処理量が増えることはない。また、無線信号送受信部間にて閉じた対応が可能になるため、障害発生時において予備無線信号送受信部への切替動作が簡略化される。また、無線信号送受信部間にて閉じた処理により切替が実施されるため、突発的な架内トラフィック量の増加の抑制、並びに情報伝達量の低減等も図られる。
【００５２】
また、初期設定において、基地局監視・制御部が、各セクタにおける運用情報を全ての無線信号送受信部に対して同様の内容にて伝達するので、初期設定時における情報伝達処理量を最小にすることができる。
【００５３】
（第２の実施の形態）
図３は、本発明の無線基地局装置の第２の実施の形態を示すブロック図である。
【００５４】
本形態は図３に示すように、無線基地局装置の通信エリアを分割したセクタの数以上設けられ、無線信号を送受信するためのアンテナ１１０−１〜１１０−ｎと、アンテナ１１０−１〜１１０−ｎを介して移動局（不図示）との間にてデータの送受信を行う無線信号送受信部１２０−１〜１２０−ｎと、無線信号送受信部１２０−１〜１２０−ｎにて送受信されるデータのベースバンド処理するベースバンド信号処理部１３０−１〜１３０−Ｎと、データ伝達線１６１ａを介してベースバンド信号処理部１３０−１〜１３０−Ｎと接続され、また、データ伝達線１６１ｂを介して無線信号送受信部１２０−１〜１２０−ｎと接続され、ベースバンド信号処理部１３０−１〜１３０−Ｎに対するユーザ情報の供給や上位局（不図示）に対する情報の伝達を行うとともに、ベースバンド信号処理部１３０−１〜１３０−Ｎ及び無線信号送受信部２０−１〜２０−ｎの監視及び制御を行う基地局監視・制御部１４０と、データバス線１６３−１〜１６３−Ｎを介してベースバンド信号処理部１３０−１〜１３０−Ｎと接続され、また、データバス線１６４−１〜１６４−ｎを介して無線信号送受信部１２０−１〜１２０−ｎと接続され、無線信号送受信部１２０−１〜１２０−ｎにて受信された受信データを全てのベースバンド信号処理部１３０−１〜１３０−Ｎに送信するとともに、ベースバンド信号処理部１３０−１〜１３０−Ｎにてベースバンド処理された送信データを基地局監視・制御部１４０における制御によって、所定の無線信号送受信部に送信する負荷分散処理部１５０とから構成されている。なお、無線信号送受信部１２０−１〜１２０−ｎは、状態情報共有線１６２を介して互いに接続されており、全ての無線信号送受信部１２０−１〜１２０−ｎの動作状態を共有している。
【００５５】
このように本形態は、第１の実施の形態において説明したものに対して、無線信号送受信部１２０−１〜１２０−ｎにて受信された受信データを全てのベースバンド信号処理部１３０−１〜１３０−Ｎに送信するとともに、ベースバンド信号処理部１３０−１〜１３０−Ｎにてベースバンド処理された送信データを基地局監視・制御部１４０における制御によって、所定の無線信号送受信部に送信する負荷分散処理部１５０が設けられている点のみが異なるものである。
【００５６】
以下に、上記のように構成された無線基地局装置の動作について説明する。
【００５７】
図４は、図３に示した無線基地局装置の動作を説明するための図である。
【００５８】
まず、初期設定時の動作について説明する。
【００５９】
サービス開始時、基地局監視・制御部１４０は、無線信号送受信部１２０−１〜１２０−ｎにて使用される無線変調用周波数等の運用情報を無線信号送受信部１２０−１〜１２０−ｎの全てに伝達しておく。
【００６０】
基地局監視・制御部１４０から伝達された運用情報は、無線信号送受信部１２０−１〜１２０−ｎ内のセクタ管理部１２３−１〜１２３−ｎにてセクタ毎に管理される。
【００６１】
ここで、本形態においては、無線基地局装置の通信エリアを６つのセクタ１〜６に分割し、それぞれのセクタ１〜６に無線信号送受信部１２０−１〜１２０−６を割り当て、さらに、無線信号送受信部１２０−７を、予備用の無線信号送受信部とする。その場合、無線信号送受信部１２０−１〜１２０−６においては、セクタ管理部１２３−１〜１２３−６にて管理される運用情報のうち、それぞれセクタ１〜６に対応する運用情報を用いてデータの送受信が行われることになる。
【００６２】
次に、データ送信時の動作について説明する。
【００６３】
上位局から送られてきた送信データは、基地局監視・制御部１４０を介してベースバンド信号処理部１３０−１〜１３０−Ｎに与えられ、ベースバンド信号処理部１３０−１〜１３０−Ｎにてベースバンド処理される。
【００６４】
ベースバンド信号処理部１３０−１〜１３０−Ｎにてベースバンド処理された送信データは、負荷分散処理部１５０に送られる。
【００６５】
負荷分散処理部１５０においては、まず、ベースバンド信号処理部１３０−１〜１３０−Ｎにてベースバンド処理された送信データが入出力データ変換部１５５−１〜１５５−Ｎにて所定の形態に変換され、セレクタ１５３において基地局監視・制御部１４０からの指示に基づいて、送信データが送出されるセクタに対応する無線信号送受信部が選択され、選択された無線信号送受信部に対して入出力データ変換部１５４−１〜１５４−ｎを介して送信される。なお、本形態においては、無線信号送受信部１２０−１が選択されたものとする。
【００６６】
その後、無線信号送受信部１２０−１に送られた送信データは、無線信号送受信部１２０−１内のＤ／Ａ変換部１２６−１にてアナログデータに変換された後、変復調部１２８−１にて変調されてアンテナ１１０−１を介して送信される。
【００６７】
次に、データ受信時の動作について、セクタ１における受信動作を例に挙げて説明する。
【００６８】
アンテナ１１０−１を介して受信された受信データは、無線信号送受信部１２０−１内の変復調部１２８−１にて復調された後、Ａ／Ｄ変換部１２７−１にてデジタルデータに変換され、入出力データ変換部１２５−１を介して負荷分散処理部１５０に送られる。
【００６９】
負荷分散処理部１５０に送られた受信データは、負荷分散処理部１５０における制御によって、全てのベースバンド信号処理部１３０−１〜１３０−Ｎに送られる。これにより、受信データが選択的に逆拡散されることになり、特定のベースバンド信号処理部への処理の集中が回避される。
【００７０】
ベースバンド信号処理部１３０−１〜１３０−Ｎに送られた受信データは、ベースバンド信号処理部１３０−１〜１３０−Ｎにて逆拡散されてユーザデータが抽出され、基地局監視・制御部１４０を介して上位局に送信される。
【００７１】
以下に、無線信号送受信部１２０−１〜１２０−ｎにて障害が発生した場合の処理について、無線信号送受信部１２０−１にて障害が発生し、無線信号送受信部１２０−１における処理を無線信号送受信部１２０−７にて代行して行う場合を例に挙げて説明する。なお、無線信号送受信部１２０−１にて障害が発生した場合は、図４に示す変復調部１２８−１から出力されている送信データが無線信号送受信部１２０−１から送信されなかったり、図４に示す変復調部１２８−１に入力されている受信データが無線信号送受信部１２０−１にて受信されなかったりする。
【００７２】
無線信号送受信部１２０−１〜１２０−７は、状態情報共有線１６２を介して互いに接続されており、全ての無線信号送受信部１２０−１〜１２０−７の動作状態を共有している。この動作状態は、無線信号送受信部１２０−１〜１２０−７間にて常に相互交換されている。また、無線信号送受信部１２０−１〜１２０−７の動作状態は、基地局監視・制御部１４０に伝達され、基地局監視・制御部１４０においてリソース管理が行われている。
【００７３】
無線信号送受信部１２０−１にて障害が発生すると、まず、予備用の無線信号送受信部１２０−７内の状態情報判定回路１２１−７において、状態情報共有線１６２を介して取得した無線信号送受信部１２０−１の動作状態に基づいて無線信号送受信部１２０−１に障害が発生したことが認識される。
【００７４】
また、この障害情報は、負荷分散処理部１５０にも通知される。
【００７５】
その後、セクタ管理部１２３−７に管理されている運用情報のうち、無線信号送受信部１２０−１にて使用されていた無線変調用周波数等のセクタ１における運用情報が選択部１２２−７にて選択され、無線信号送受信部１２０−７が、セクタ１における運用情報を用いて無線信号送受信部１２０−１における処理を代行して行うことになる。
【００７６】
また、無線信号送受信部１２０−７における処理は、基地局監視・制御部１４０にデータ伝達線１６１ｂを介して報告され、障害に伴う切替動作を終了する。
【００７７】
上述したように、障害を補償するための処理に基地局監視・制御部の指示・制御を必要としないため、障害に対して迅速な対応が可能になる。また、基地局装置内情報伝送路のトラフィック量も急激に増加することはなく、補償動作に関する情報で占有することもなくなる。
【００７８】
【発明の効果】
本発明は、以上説明したように構成されているので、ＣＤＭＡ基地局装置での無線信号送受信部切替に伴う無線変調波の送信断時間及び受信データの復調断時間の短縮化を図ることができる。
【００７９】
また、障害の補償処理に伴うＣＤＭＡ基地局装置内の各処理部間で相互に交換されるメッセージ省略化によるトラフィック緩和効果が得られ、突発的に発生する装置内の情報の増加に伴う制御の不安定状態を回避することができるとともに、基地局監視・制御手段の把握情報量を低減させることができる。
【図面の簡単な説明】
【図１】本発明の無線基地局装置の第１の実施の形態を示すブロック図である。
【図２】図１に示した無線信号送受信部の構成を示すブロック図である。
【図３】本発明の無線基地局装置の第２の実施の形態を示すブロック図である。
【図４】図３に示した無線基地局装置の動作を説明するための図である。
【図５】ＣＤＭＡ通信システムに用いられる従来の無線基地局装置の一構成例を示すブロック図である。
【図６】図５に示した無線信号送受信部の構成を示すブロック図である。
【符号の説明】
１０−１〜１０−ｎ，１１０−１〜１１０−７    アンテナ
２０−１〜２０−ｎ，１２０−１〜１２０−７    無線信号送受信部
２１，１２１−１〜１２１−７，１５１    状態情報判定回路
２２，１２２−１〜１２２−７    選択部
２３，１２３−１〜１２３−７    セクタ管理部
２４，１２４−１〜１２４−７    監視制御部
２５，１２５−１〜１２５−７，１５４−１〜１５４−７，１５５−１〜１５５−Ｎ    入出力データ変換部
２６，１２６−１〜１２６−７    Ｄ／Ａ変換部
２７，１２７−１〜１２７−７    Ａ／Ｄ変換部
２８，１２８−１〜１２８−７    変復調部
３０−１〜３０−Ｎ，１３０−１〜１３０−Ｎ    ベースバンド信号処理部
４０，１４０    基地局監視・制御部
６１ａ，６１ｂ，１６１ａ，１６１ｂ    データ伝達線
６２，１６２    状態情報共有線
６３，１６３−１〜１６３−Ｎ，１６４−１〜１６４−ｎ    データバス線
１５０    負荷分散処理部
１５２    制御部
１５３    セレクタ
１６５    制御線
【図１】
0003543961.tif 000002
【図２】
0003543961.tif 000003
【図３】
0003543961.tif 000004
【図４】
0003543961.tif 000005
【図５】
0003543961.tif 000006
【図６】
0003543961.tif 000007